(57)【要約】【課題】  ユーザの好みや操作するＡＶ機器の種類に応じてリモコンの操作ボタンの形状、あるいは配置を変更することができ、且つそのようなリモコンを安価に提供する。【解決手段】  ３枚のサブパネル３ａ，３ｂ，３ｃをリモコン本体１１に設けられたサブパネル嵌め込み溝７ａ，７ｂ，７ｃに嵌め込みリモコンを構成する。夫々のサブパネルとリモコン本体１１との接続は操作ボタン面の反対側の面にサブパネル識別用の接点４ｂを持ち、リモコン本体１１側にはサブパネルに応じた接点８ｂを設け、リモコン本体１１とサブパネル３ｂとの接触した接点位置により各サブパネルの種類をリモコン本体１１側で識別できるようにする。【選択図】      図２
2005217876.tif 000002
【特許請求の範囲】
【請求項１】
操作入力部と本体部とを別構造とし、この複数種類の前記操作入力部の一つと本体部とを組み合わせ一体として動作するリモートコントロール装置であって、
複数種類の操作入力パネルと、
少なくとも一の前記操作入力パネルが嵌め込まれる操作入力パネル嵌め込み溝が設けられたリモートコントロール装置筐体部と、
リモコンコードを記憶すると共に前記操作パネルの種類を記憶するメモリ部と、
前記操作入力パネルからの操作入力信号に対応したリモコンコードを前記メモリより読み出す制御部と、
前記制御部により読み出されたリモコンコードをリモコン信号として外部に送信するリモコン信号送信部と、
を有し、
前記操作入力パネルは、前記操作入力パネル嵌め込み溝を介して前記リモートコントロール装置筐体部と脱着自在であり、前記操作入力パネルと前記リモートコントロール装置筐体部とが接触する位置に、前記操作入力パネル識別用接点及び前記操作入力パネルからの信号を前記リモートコントロール装置筐体部に伝送するための接点を配置したことを特徴とするリモートコントロール装置。
【発明の詳細な説明】
【技術分野】
【０００１】
本発明は、ＡＶ機器などの電子機器の遠隔操作に用いるリモートコントロール装置に関する。
【背景技術】
【０００２】
リモートコントロール装置（以下、リモコンと記す）は、ＡＶ機器など多くの電子機器で使用されており、それらＡＶ機器の高機能化に伴い操作ボタンの数も増加の一途であるが、通常リモコンでは、操作ボタンの配置は固定である。また、複数のＡＶ機器を使用する場合、夫々に対応した複数のリモコンが必要となり、ユーザにとって利便性が悪いという問題があった。
そこで、使用する複数のＡＶ機器のリモコンを合体させ一体にして用いる提案がされている（例えば、特許文献１参照。）。
【０００３】
また、１台のリモコンに、ＡＶ機器の操作ボタンの機能を自由に割り付けることができる学習機能付きのリモコンが提案されている（例えば、特許文献２参照。）。
【０００４】
【特許文献１】実開昭６１−１６８７７１号公報
【特許文献２】特開２００１−２０４０８９公報
【０００５】
ところで、特許文献１には、使用する複数のＡＶ機器のリモコンを合体させ一体にして用いる提案が記載されているが、使用するＡＶ機器の台数が増えるとリモコンの大きさも増大してしまうという問題が、また単純に合体させているので電源が共通ではなく利便性が悪いという問題があった。
【０００６】
特許文献２には、操作ボタンの機能を自由に割り付けることができる学習機能付きのリモコンが記載されているが、操作ボタンに対する機能名やマークが固定であったり、操作ボタンの形状も固定であり変更できないため、操作ボタンの割付を変更すると用いるＡＶ機器の機能と操作ボタンとの対応が一致しなくなくなるという問題があった。これを解決するためにタッチパネルと液晶表示を組み合わせた学習機能付きのリモコンもあるが、コスト的に高価なものになるという問題があった。
【発明の開示】
【発明が解決しようとする課題】
【０００７】
本発明は、以上の点に鑑みなされたもので、ユーザの好みや操作するＡＶ機器の種類に応じてリモコンの操作ボタンの形状、あるいは配置を変更することができ、且つそのようなリモコンを安価に提供することを目的とする。
【課題を解決するための手段】
【０００８】
本発明は、上記課題を解決するために、以下に記載の手段よりなる。
すなわち、
操作入力部と本体部とを別構造とし、この複数種類の前記操作入力部の一つと本体部とを組み合わせ一体として動作するリモートコントロール装置であって、
複数種類の操作入力パネルと、
少なくとも一の前記操作入力パネルが嵌め込まれる操作入力パネル嵌め込み溝が設けられたリモートコントロール装置筐体部と、
リモコンコードを記憶すると共に前記操作パネルの種類を記憶するメモリ部と、
前記操作入力パネルからの操作入力信号に対応したリモコンコードを前記メモリより読み出す制御部と、
前記制御部により読み出されたリモコンコードをリモコン信号として外部に送信するリモコン信号送信部と、
を有し、
前記操作入力パネルは、前記操作入力パネル嵌め込み溝を介して前記リモートコントロール装置筐体部と脱着自在であり、前記操作入力パネルと前記リモートコントロール装置筐体部とが接触する位置に、前記操作入力パネル識別用接点及び前記操作入力パネルからの信号を前記リモートコントロール装置筐体部に伝送するための接点を配置したことを特徴とするリモートコントロール装置。
【発明の効果】
【０００９】
本発明の「リモートコントロール装置」によれば、ユーザの好みや操作するＡＶ機器の種類に応じてリモコンの操作ボタンの形状、あるいは配置を変更することができ、利便性のよいリモートコントロール装置を提供することができる。
また、サブパネルを用いることにより、操作に必要なサブパネルのみを用意すればよく、リモコンの大きさが増大することなく、且つ安価に提供することができる。
【発明を実施するための最良の形態】
【００１０】
以下、本発明に係るリモートコントロール装置の発明を実施するための最良の形態につき、好ましい実施例により説明する。
【実施例１】
【００１１】
図１は本実施例に適用されるリモコンの構成を示した概略外観図である。同図は、リモコンの操作ボタン２を機能別あるいは形状別などでいくつかのサブブロックに分け、操作するユーザが好みに応じてサブパネルの位置を変更することにより、リモコン１の操作ボタン２の配置を入れ替えカスタマイズされた状態を示す。
【００１２】
以下、図２、図３を用いてさらに詳細に説明する。図２（ａ）〜（ｃ）は、図１で示したリモコン１の操作ボタン２を３つのブロックに分け、３枚の同一サイズのサブパネル３ａ，３ｂ，３ｃとしてリモコン本体１１に設けられたサブパネル嵌め込み溝７ａ，７ｂ，７ｃに嵌め込む例であり、リモコン本体１１と３枚のサブパネル３ａ，３ｂ，３ｃとでリモコン１を構成している。夫々のサブパネルを実線で囲んで表示している。
【００１３】
夫々のサブパネルとリモコン本体１１との接続をサブパネル３ｂを用いて説明する。図２（ｂ）に示すように操作ボタン面の反対側の面にサブパネル識別用の接点４ｂを持ち、リモコン本体１１側にはサブパネルに応じた接点８ｂを設け、リモコン本体１１とサブパネル３ｂとの接触した接点位置により各サブパネルの種類をリモコン本体１１側で識別できるようにしている。
【００１４】
接点４における実線がこのサブパネル３ｂ用の識別接点の位置、点線は他のサブパネル３ａ、３ｃ用の識別接点の位置である。また、サブパネル３ｂの各操作ボタンの信号をリモコン本体１１に伝えるために、操作ボタン数に応じた数の接点５ｂとＧＮＤ用の共通接点６ｂを持ち、リモコン本体１１側には（ｃ）に示すように６ｂに対応する接点９ｂ及び共通接点１０ｂが設けられている。他のサブパネル３ａ，３ｃの接点およびリモコン本体１１側の対応する位置にも同様の接点を設けている。
これにより、上述の説明では、サブパネル３ｂをサブパネル嵌め込み溝７ｂに嵌め込む例を示したが、リモコン本体１１側に設けたサブパネル嵌め込み溝７ａ，７ｂ，７ｃのいずれにサブパネル３ａ，３ｂ，３Ｃを嵌め込む組合わせにしても、各操作ボタン２ａ，２ｂ，２ｃの機能を正しく実行することができる。
【００１５】
図３は、実施例１に適用されるリモコンの主要部を示した概略ブロック図である。リモコン本体１１は各サブパネルに対応した接点（８ａ，９ａ，１０ａ），（８ｂ，９ｂ，１０ｂ），（８ｃ，９ｃ，１０ｃ）、リモコン制御部１２、リモコン情報記憶部１３、リモコン送信部１４から構成されている。
各サブパネル３ａ，３ｂ，３ｃは夫々接点（４ａ，５ａ，６ａ），（４ｂ，５ｂ，６ｂ），（４ｃ，５ｃ，６ｃ）と接点（８ａ，９ａ，１０ａ），（８ｂ，９ｂ，１０ｂ），（８ｃ，９ｃ，１０ｃ）とで接続されている。各サブパネル３ａ，３ｂ，３ｃから各操作ボタン２ａ，２ｂ，２ｃにより操作された接点情報はリモコン制御部１２に供給される。リモコン情報記憶部１３には、サブパネルの種類情報、コード化情報、メーカーコードが記憶されており、リモコン制御部１２に供給された接点情報に対応したリモコン情報がリモコン制御部１２に供給される。リモコン制御部１２はこれら供給された情報をもとにリモコンコードを決定してリモコン送信部１４に供給する。リモコン送信部１４では供給されたリモコンコードを外部に送信出力する。
【実施例２】
【００１６】
図４は、実施例２を示したもので、実施例１で説明した図１のリモコンを４つのブロックに分離し異なるサイズのサブパネルを組合わせた例である。実施例１と同じ構成要素には同じ符号を付している。この実施例２は、最小サイズのサブパネルを基準に他のサブパネルをその長手方向のサイズの整数倍としリモコン本体側の嵌め込み溝７ｄは連続に設置している。（ｂ）に示すように、最小サイズのサブパネル幅を基準とした接点（８ｃ，９ｃ，１０ｃ），（８ｅ，９ｅ，１０ｅ），（８ｆ，９ｆ，１０ｆ）を設けている。図示していないが、サブパネル３ａ，３ｃの部分にも（８ａ，９ａ，１０ａ），（８ｄ，９ｄ，１０ｄ）が設けられている。
【００１７】
（ａ）では最小サイズのサブパネル幅であるサイズｈに対し他のサブパネルをｈ又は２×ｈとしている。いずれのサイズのサブパネルにおいても、最小サイズのサブパネル幅に相当する部分に実施例１同様に、サブパネル識別接点、操作ボタン用接点、ＧＮＤ用共通接点が設けられている。ただし、サブパネル識別接点は使用可能なサブパネル数に応じた数としている。リモコン本体１１側には、上述の説明のように、最小サイズのサブパネル幅単位で接点を設けているので、ｈサイズのサブパネル３ｂ，３ｃ、２×ｈサイズのサブパネル３ａ，３ｄはどの組合わせ位置に嵌め込まれても各操作ボタン２ａ，２ｂ，２ｃ、２ｄの機能を正しく実行することができる。これにより操作ボタンの配置の自由度がさらに向上する。
【００１８】
実施例１及び２においてサブパネルは３種類又は４種類を示したが、ＡＶ機器に限らず使用する機器に応じて多数種類のサブパネルを用意しておき組合わせてもよいのはもちろんのことである。サブパネルの分割方向あるいは分割の形状も実施例１及び２の限りではない。また、使用しないサブパネルに相当する蓋を設ける、あるいはリモコン本体側の大きさを複数種類用意するよう構成することによりさらにユーザの利便性を向上することができる。
【００１９】
実施例１及び２においてサブパネルと本体側の接点は、サブパネルの底面にある構成としたが、サブパネルの側面とそれに対応した本体側嵌め込み部分とに設ける構成としてもよい。
また、接点を各サブパネルに対し底面、側面に共通の形状として設けて、リモコンのコードにサブパネルのコードを付加する構成としてもよい。
さらには、本体側部分のサブパネルが嵌め込まれる範囲でレール状の接点を設け、サブパネルの接点を共通の形状にすれば、サブパネル自体の大きさは共通でなくともよくなり、リモコン機能に応じた形状のサブパネルを組合わせる構成としてもよい。
【００２０】
サブパネルに一部または全部を学習型リモコンを適用する構成としてもよく、この場合各ボタンの機能割付けを自由に設定できる。また、サブパネル識別用の接点は必ずしも必要ではなく共通の接点で構成することができる。
【００２１】
なお、パネル識別及びサブパネルと本体との信号の接続は、電気的接点以外にも発光素子と光学センサとの組み合わせ、またはコイルによる電磁誘導などで構成してもよい。
【図面の簡単な説明】
【００２２】
【図１】実施例１に適用されるリモコンの構成を示した概略外観図である。
【図２】実施例１に適用されるリモコンのサブパネル構成を示した概略外観図である。
【図３】実施例１に適用されるリモコンの概略ブロック図である
【図４】実施例２に適用されるリモコンのサブパネル構成を示した概略外観図である。
【符号の説明】
【００２３】
１…リモコン
２ａ，２ｂ，２ｃ、２ｄ…操作ボタン
３ａ，３ｂ，３ｃ、３ｄ…サブパネル
４ａ，４ｂ，４ｃ…サブパネル識別用接点
５ａ，５ｂ，５ｃ…操作ボタン用接点
６ａ，６ｂ，６ｃ…ＧＮＤ用共通接点
７ａ，７ｂ，７ｃ，７ｄ…サブパネル嵌め込み溝
８ａ，８ｂ，８ｃ，８ｄ，８ｅ，８ｆ…本体側サブパネル識別用接点
９ａ，９ｂ，９ｃ，９ｄ，９ｅ，９ｆ…本体側ボタン用接点
１０ａ，１０ｂ，１０ｃ，１０ｄ，１０ｅ，１０ｆ…本体側共通接点
１１…リモコン本体
１２…リモコン制御部
１３…リモコン情報記憶部
１４…リモコン送信部
【図１】
2005217876.tif 000003
【図２】
2005217876.tif 000004
【図３】
2005217876.tif 000005
【図４】
2005217876.tif 000006